(57)【特許請求の範囲】
【請求項１】
製織に関する情報を表示する表示装置と、情報を入力可能な入力装置とを含む織機の情報表示装置において、
情報表示装置は、入力者の職種であって織布工場において管理上のランク付けされた複数の職種に関する固有情報を認識する操作を入力装置を介して行うことにより、その後の織機の設定データの入力操作を前記固有情報の認識結果に基づいて特定の職種に対して禁止する機能を有するとともに、前記入力操作を禁止する織機の設定データの情報項目および職種を入力装置への手動入力操作によって指定可能に設けられており、
１以上の情報項目に対する前記特定の職種による前記入力操作を禁止するにあたり、先ず入力者が情報表示装置に対し当該入力者の職種に関する固有情報を認識させる操作を実行し、それに伴い、情報表示装置は、当該入力者の職種が前記特定の職種よりも上位であると認識したとき、当該入力者よりも下位の職種を選択的に指定する手動入力操作および織機の設定データが入力される情報項目を選択的に指定する手動入力操作を当該入力者に対し許容し、その手動入力操作の許容により当該入力者によって指定された情報項目と職種とを対応させて記憶して指定された下位の職種による指定された情報項目への織機の設定データの前記入力操作の禁止を設定し、
また、前記設定により前記入力操作が禁止された職種および情報項目の禁止設定を解除する際には、先ず入力者が情報表示装置に対し当該入力者の職種に関する固有情報を認識させる操作を実行し、それに伴い、情報表示装置は、当該入力者の職種が前記入力操作を禁止されている職種よりも上位の職種であると認識したとき、前記入力操作の禁止が設定された当該入力者よりも下位の職種およびその職種に対応させて記憶されている情報項目を選択的に指定する手動入力操作を当該入力者に対して許容し、その手動入力操作の許容により当該入力者によって今回指定された情報項目と職種との対応を解除して記憶することにより、その対応が解除された職種による情報項目に対する織機の設定データの前記入力操作の禁止の設定を解除する、ことを特徴とする織機の設定データの入力制限方法。
【請求項２】
指定された情報項目への織機の設定データの前記入力操作の禁止を設定した後、情報表示装置は、前記固有情報の認識結果が前記指定された職種であるときに、前記入力操作の禁止が設定された情報項目を表示装置に常時表示しつつ入力装置を介した前記入力操作の禁止が設定された情報項目について織機の設定データの前記入力操作のみを禁止する、ことを特徴とする請求項１記載の織機の設定データの入力制限方法。
【請求項３】
指定された情報項目への織機の設定データの前記入力操作の禁止を設定した後、情報表示装置は、前記固有情報の認識結果が前記指定された職種であるときに、前記入力操作の禁止が設定された情報項目を非表示にすることにより、前記入力操作の禁止が設定された情報項目について織機の設定データの前記入力操作を禁止する、ことを特徴とする請求項１記載の織機の設定データの入力制限方法。
【請求項４】
情報表示装置は、情報項目に対する前記特定の職種の前記入力操作を禁止するにあたり、表示装置に表示した画面を指定することによって、指定された画面に複数の情報項目を表示し、表示した複数の情報項目を一括して指定することによって指定した情報項目について前記入力操作の禁止を設定し、また前記設定により前記入力操作の禁止が設定された職種および情報項目の禁止設定を解除する際には、表示装置によって前記入力操作の禁止が設定された情報項目を表示する画面を指定することによって、前記画面内に前記入力操作の禁止が設定された情報項目を表示し、前記入力操作の禁止が設定された情報項目を一括して解除する、ことを特徴とする請求項１、請求項２または請求項３記載の織機の設定データの入力制限方法。
【請求項５】
情報表示装置は、前記情報項目に対する前記特定の職種の前記入力操作を禁止するにあたり、表示装置に表示した画面を指定することによって、指定された画面に複数の情報項目を表示し、表示した画面内の情報項目を個別に指定することによって指定した情報項目について前記入力操作を禁止し、また前記設定により前記入力操作の禁止が設定された職種および情報項目の禁止設定を解除する際には、表示装置によって前記入力操作が禁止された情報項目を表示する画面を指定することによって、前記画面内に前記入力操作が禁止された情報項目を表示し、前記入力操作が禁止された情報項目を個別に解除する、ことを特徴とする請求項１、請求項２または請求項３記載の織機の設定データの入力制限方法。
【請求項６】
情報表示装置は、職種に関する固有情報に加えて個人に関する固有情報を認識可能に設けられており、下位の職種に対する前記入力操作の禁止を設定する際に、情報表示装置は、下位の職種に対する指定を前記個人に関する固有情報毎に可能とし、また前記入力操作の禁止を解除する際に、情報表示装置は、下位の職種に対する指定解除を前記個人に関する固有情報毎に可能とする、ことを特徴とする請求項１、請求項２または請求項３記載の織機の設定データの入力制限方法。
【発明の詳細な説明】
【０００１】
【発明が属する技術分野】
本発明は、製織に関する情報表示を行う織機の情報表示装置において、織機の設定データの入力を禁止し、またその禁止を解除する制限方法に関する。
【０００２】
【従来の技術】
【特許文献１】
特開平６−８１２５１号公報
上記特許文献１は、織機の表示装置を開示している。その織機の表示装置は、織機分野の職種毎に表示画面の切り換え手段を有している。製織作業者は、操作パネルの切り換え手段を操作して、自己の作業内容に必要な画面を表示装置により表示させ、データの設定を行う。しかし、自己の作業内容以外の情報項目は、入力禁止となっている。
【０００３】
【発明が解決しようとする課題】
上記の技術によると、入力禁止の対象となる情報項目は、織機メーカーに任されていて、変更できない。このため、各織布工場によって各職種毎に担当範囲が異なる場合に、織布工場は、織機メーカーに操作パネルのプログラム変更を依頼しなければならない。
【０００４】
したがって、本発明の目的は、織機分野の職種毎に製織に関する情報項目についての織機の設定データの入力を選択的に禁止させ、入力禁止の情報項目の解除も可能にすることである。
【０００５】
【課題を解決するための手段】
上記の目的のもとに、本発明に係る織機の設定データの入力制限方法は、製織に関する情報を表示する表示装置と、情報を入力可能な入力装置とを含む織機の情報表示装置において、下記の解決手段を採用している。情報表示装置は、入力者の職種であって織布工場において管理上のランク付けされた複数の職種に関する固有情報を認識する操作を入力装置を介して行うことにより、その後の織機の設定データの入力操作を前記固有情報の認識結果に基づいて特定の職種に対して禁止する機能を有するとともに、前記入力操作を禁止する織機の設定データの情報項目および職種を入力装置への手動入力操作によって指定可能に設けられている。
１以上の情報項目に対する前記特定の職種による前記入力操作を禁止するにあたり、先ず入力者が情報表示装置に対し当該入力者の職種に関する固有情報を認識させる操作を実行し、それに伴い、情報表示装置は、当該入力者の職種が前記特定の職種よりも上位であると認識したとき、当該入力者よりも下位の職種を選択的に指定する手動入力操作および織機の設定データが入力される情報項目を選択的に指定する手動入力操作を当該入力者に対し許容し、その手動入力操作の許容により当該入力者によって指定された情報項目と職種とを対応させて記憶して指定された下位の職種による指定された情報項目への織機の設定データの前記入力操作の禁止を設定する。
また、前記設定により前記入力操作が禁止された職種および情報項目の禁止設定を解除する際には、先ず入力者が情報表示装置に対し当該入力者の職種に関する固有情報を認識させる操作を実行し、それに伴い、情報表示装置は、当該入力者の職種が前記入力操作を禁止されている職種よりも上位の職種であると認識したとき、前記入力操作の禁止が設定された当該入力者よりも下位の職種およびその職種に対応させて記憶されている情報項目を選択的に指定する手動入力操作を当該入力者に対して許容し、その手動入力操作の許容により当該入力者によって今回指定された情報項目と職種との対応を解除して記憶することにより、その対応が解除された職種による情報項目に対する織機の設定データの前記入力操作の禁止の設定を解除する（請求項１）。
【０００６】
指定された情報項目への織機の設定データの前記入力操作の禁止を設定した後、情報表示装置は、前記固有情報の認識結果が前記指定された職種であるときに、前記入力操作の禁止が設定された情報項目を表示装置に常時表示しつつ入力装置を介した前記入力操作の禁止が設定された情報項目について織機の設定データの前記入力操作のみを禁止する（請求項２）。
【０００７】
指定された情報項目への織機の設定データの前記入力操作の禁止を設定した後、情報表示装置は、前記固有情報の認識結果が前記指定された職種であるときに、前記入力操作の禁止が設定された情報項目を非表示にすることにより、前記入力操作の禁止が設定された情報項目について織機の設定データの前記入力操作を禁止する（請求項３）。
【０００８】
情報表示装置は、情報項目に対する前記特定の職種の前記入力操作を禁止するにあたり、表示装置に表示した画面を指定することによって、指定された画面に複数の情報項目を表示し、表示した複数の情報項目を一括して指定することによって指定した情報項目について前記入力操作の禁止を設定し、また前記設定により前記入力操作の禁止が設定された職種および情報項目の禁止設定を解除する際には、表示装置によって前記入力操作の禁止が設定された情報項目を表示する画面を指定することによって、前記画面内に前記入力操作の禁止が設定された情報項目を表示し、前記入力操作の禁止が設定された情報項目を一括して解除する（請求項４）。
【０００９】
情報表示装置は、前記情報項目に対する前記特定の職種の前記入力操作を禁止するにあたり、表示装置に表示した画面を指定することによって、指定された画面に複数の情報項目を表示し、表示した画面内の情報項目を個別に指定することによって指定した情報項目について前記入力操作を禁止し、また前記設定により前記入力操作の禁止が設定された職種および情報項目の禁止設定を解除する際には、表示装置によって前記入力操作が禁止された情報項目を表示する画面を指定することによって、前記画面内に前記入力操作が禁止された情報項目を表示し、前記入力操作が禁止された情報項目を個別に解除する（請求項５）。
【００１０】
情報表示装置は、職種に関する固有情報に加えて個人に関する固有情報を認識可能に設けられており、下位の職種に対する前記入力操作の禁止を設定する際に、情報表示装置は、下位の職種に対する指定を前記個人に関する固有情報毎に可能とし、また前記入力操作の禁止を解除する際に、情報表示装置は、下位の職種に対する指定解除を前記個人に関する固有情報毎に可能とする（請求項６）。
【００１１】
【発明の実施の形態】
図１は、本発明の方法を実現するための織機の情報表示装置１を示している。織機の情報表示装置１は、１台または２台以上の織機９に対応して入力装置２、表示制御装置３および表示装置４からなる。
【００１２】
入力装置２は、入力者の固有情報を入力するために、ユーザの認証カード５やユーザ固有のパスワードの入力用カードリーダ、製織に関する情報すなわち製織条件データその他の織機の設定データを入力するために、データ入力用キーボード、マウスまたはそれらの組み合わせ装置からなる。なお、この例で、表示装置４は、タッチパネル方式となっており、そのタッチパネル式表示面（パネル部）は、入力装置２の一部を構成している。
【００１３】
また、表示制御装置３は、入力装置２、表示装置４および織機９に接続されており、内部にメモリ６、禁止項目変更器７およびＣＰＵ８を有している。メモリ６は、入力者の固有情報、製織に関する情報を記憶するとともに、製織に関する情報を表示装置４により表示させる表示プログラムを記憶する。ここで、製織に関する情報とは、複数の情報項目、各情報項目に対応する織機の設定データをいう。
【００１４】
禁止項目変更器７は、表示プログラムにより製織に関する情報を表示装置４により表示させる際に、情報項目に対応する織機の設定データの入力を制限するために設けられている。入力者が入力装置２から禁止しようとする情報項目および職種を選択的に指定する手動入力操作をし、これに伴い、入力装置２が入力禁止指令を禁止項目変更器７に出力すると、以後、禁止項目変更器７は、前記情報項目について指定した下位の職種の入力者による織機の設定データの入力操作の禁止を設定する。また必要に応じて、上位の職種の入力者が入力装置２により入力禁止状態の情報項目および下位の職種を選択的に指定する手動入力操作をし、入力装置２から禁止項目変更器７に入力禁止解除指令が入力されると、これに伴い、禁止項目変更器７は、入力者の職種を認識して、以降、前記情報項目について前記指定した下位の職種の入力者による織機の設定データの入力操作の禁止を解除する。
【００１５】
製織分野の職種とは、織布工場に携わる人をいう。例えば管理者（Ｍａｎａｇｅｒ）、監督者（Ｓｕｐｅｒｖｉｓｏｒ）、保全者（Ｆｉｘｅｒ）、切卸し者（Ｄｏｆｆｅｒ）、織工（Ｗｅａｖｅｒ）があり、通常、これらの者は、管理上、職種レベルを形成し、記載順序で前方が上位の職種（上位レベル）であり、下方が下位の職種（下位レベル）である。このように職種はレベルに応じてランク付けされている。表示装置４では、あるレベルの者は、同位レベルの者により設定された織機の設定データおよびそれより下位レベルの者により設定された織機の設定データを確認できるが、上位レベルの者により設定された織機の設定データは、そのレベルよりも下位レベルの者には確認できないようになっている。このため、最上位レベルの者は、すべての者により設定された織機の設定データを確認できるが、最下位レベルの者は、同位レベルの者により設定された織機の設定データしか確認できないようになっている。ここで確認とは、織機の設定データを表示し、設定することも含む。
【００１６】
次に、図２は、表示装置４により表示される緯入れコントロール（Ｆｉｌｌｉｎｇ  Ｃｏｎｔｒｏｌ）の画面の例を示す。このタッチパネル方式の画面で、入力者が設定キー１０をタッチすると、画面は、緯入れコントロール（ＦｉｌｌｉｎｇＣｏｎｔｒｏｌ）の画面になる。この画面で、Ｃ１、Ｃ２、・・Ｃ８は、緯糸の種類（糸種）を表し、これらの糸種毎に緯入れ開始タイミング（Ｉｎｓｅｒｔｉｏｎｓｔａｒｔ  ｔｉｍｉｎｇ）角度の設定、緯入れ制御モード（ＡＪＣ
ｍｏｄｅ）の設定、緯糸到達（Ａｒｒｉｖａｌ  ｓｅｔ）角度の設定、パルス噴射停止（Ｐｕｌｓｅ  ｔｏ  ｓｔｏｐ  ｊｅｔｔｉｎｇ）角度の設定、サブノズル動作（Ｓｕｂ  Ｂａｃｋｕｐ）の有無の設定ができるようになっている。
【００１７】
図３は、画面に保護レベル（Ｓｅｃｕｒｉｔｙ  ｌｅｖｅｌ）の設定窓を表示させた状態を示している。なお、図２および図３の画面の上下左欄には、設定キー１０の他に、保護キー（Ｓｅｃｕｒｅ）２６、呼出しキー１１、言語切替えキー１２、コントラスト調整キー１３、ログオンキー１４、稼働報キー１５、カウンターキー１６、保全キー１７、緯糸操作キー１８、緯入れコントロールキー１９、メインノズルキー２０、サブノズルキー２１、飛走曲線キー２２、モニターキー２３、上位画面戻りキー２４、コピーキー２５などが表示されている。これらのキーは、緯入れコントロール（Ｆｉｌｌｉｎｇ  Ｃｏｎｔｒｏｌ）画面のほか、すべての画面上で表示される。
【００１８】
さて、情報表示装置１は、入力者の職種であって織布工場において管理上のランク付けされた複数の職種に関する固有情報を認識する操作を入力装置２を介して行うことにより、その後の織機の設定データの入力操作を固有情報の認識結果に基づいて特定の職種に対して禁止する機能を有するとともに、入力操作を禁止する織機の設定データの情報項目および職種を入力装置２への手動入力操作によって指定可能に設けられている。
【００１９】
そして、本発明の織機の設定データの入力制限方法では、１以上の情報項目に対する特定の職種による入力操作を禁止するにあたり、先ず入力者が情報表示装置１に対し当該入力者の職種に関する固有情報を認識させる操作を実行し、それに伴い、情報表示装置１は、当該入力者の職種が特定の職種よりも上位であると認識したとき、当該入力者よりも下位の職種を選択的に指定する手動入力操作および織機の設定データが入力される情報項目を選択的に指定する手動入力操作を当該入力者に対し許容し、その手動入力操作の許容により当該入力者によって指定された情報項目と職種とを対応させて記憶して指定された下位の職種による指定された情報項目への織機の設定データの入力操作の禁止を設定する。
【００２０】
また、前記設定により入力操作が禁止された職種および情報項目の禁止設定を解除する際には、先ず入力者が情報表示装置１に対し当該入力者の職種に関する固有情報を認識させる操作を実行し、それに伴い、情報表示装置１は、当該入力者の職種が入力操作を禁止されている職種よりも上位の職種であると認識したとき、入力操作の禁止が設定された当該入力者よりも下位の職種およびその職種に対応させて記憶されている情報項目を選択的に指定する手動入力操作を当該入力者に対して許容し、その手動入力操作の許容により当該入力者によって今回指定された情報項目と職種との対応を解除して記憶することにより、その対応が解除された職種による情報項目に対する織機の設定データの入力操作の禁止の設定を解除する。
【００２１】
具体例にそって説明すると、織機の情報表示装置１において、例えば緯入れに関する情報項目について対応の職種よりも下位の職種の者による織機の設定データの入力禁止を設定するときに、入力者例えば管理者（Ｍａｎａｇｅｒ）は、自己の固有情報を認識させるために認証カード５を入力装置２に挿入し、自己および自己の職種レベルを認識させてかから、図２の画面上で設定キー１０をタッチし、つぎに緯入れコントロールキー１９をタッチし、これらの手動入力操作によって、表示装置４に緯入れコントロール（Ｆｉｌｌｉｎｇ  Ｃｏｎｔｒｏｌ）画面を表示させる。ここで、自己および自己の職種レベルの認識は、認証カード５でなく、入力装置２からパスワードを入力することによって行ってもよい。
【００２２】
つぎに、管理者（Ｍａｎａｇｅｒ）は、保護キー（Ｓｅｃｕｒｅ）２６をタッチし、画面に図３のように保護レベル（Ｓｅｃｕｒｉｔｙ  ｌｅｖｅｌ）の設定窓を表示させる。このとき表示制御装置３は、現在の入力者のレベルを判断し、保護レベル（Ｓｅｃｕｒｉｔｙ  ｌｅｖｅｌ）の設定窓を表示するとともに、設定窓の内部に同位レベルの管理者（Ｍａｎａｇｅｒ）、下位レベルの監督者（Ｓｕｐｅｒｖｉｓｏｒ）、保全者（Ｆｉｘｅｒ）、切卸し者（Ｄｏｆｆｅｒ）、織工（Ｗｅａｖｅｒ）のボタンを表示する。ここで管理者（Ｍａｎａｇｅｒ）は、画面上で例えば「Ｓｕｐｅｒｖｉｓｏｒ」のボタンをタッチし、オンの状態にする手動入力操作をすると、禁止項目変更器７は、緯入れコントロール（Ｆｉｌｌｉｎｇ  Ｃｏｎｔｒｏｌ）画面でのすべての情報項目について監督者（Ｓｕｐｅｒｖｉｓｏｒ）よりも下のレベルの者による織機の設定データとしての緯入れデータの入力や緯入れデータの変更を禁止し、入力操作の禁止の設定をする。この設定窓は、窓内の「Ｃｌｏｓｅ」のボタンをタッチすることによって消去できる。「Ｃｌｏｓｅ」などのボタン操作は、入力装置２にマウスが付属しているとき、それをクリックすることにより行ってもよい。
【００２３】
この結果、これ以降、管理者（Ｍａｎａｇｅｒ）や、監督者（Ｓｕｐｅｒｖｉｓｏｒ）は、自己の認証カード５を挿入することによって、緯入れデータの入力や緯入れデータの変更を可能となるが、監督者（Ｓｕｐｅｒｖｉｓｏｒ）より下のレベルの者すなわち保全者（Ｆｉｘｅｒ）、切卸し者（Ｄｏｆｆｅｒ）、織工（Ｗｅａｖｅｒ）は、自己の認証カード５を挿入しても、緯入れコントロール（Ｆｉｌｌｉｎｇ  Ｃｏｎｔｒｏｌ）の設定画面において、緯入れデータの入力や緯入れデータの変更をできなくなる。
【００２４】
なお、入力禁止を解除する際には、管理者（Ｍａｎａｇｅｒ）は、保護レベル（Ｓｅｃｕｒｉｔｙ  ｌｅｖｅｌ）の設定窓を表示し、設定窓内に表示されている「Ｓｕｐｅｒｖｉｓｏｒ」のボタンをタッチし、オフの状態に設定する手動入力操作により行う。この解除は、禁止項目変更器７により行われる。また、特別なレベルを定め、その特別なレベルの者のみが情報項目について織機の設定データの入力禁止の設定、解除を可能とすることもできる。ちなみに、ランクによる入力禁止ではなく、職種の個別指定による入力禁止を設定、解除をすることもでき、その場合、指定した情報項目に複数の職種が対応している時に、その対応する職種の内の少なくとも１つを指定することによって、職種の対応が解除されることにより、指定した情報項目について一部の職種のみを入力禁止状態にしてもよい。すなわち指定した情報項目にＡ、Ｂの２つの職種が対応しているとして、Ｂを指定して職種の対応が解除されると、Ａの職種のみ対応することになるので、指定した情報項目についてＢの職種については入力可能になるが、Ａの職種については入力禁止になる。
【００２５】
入力禁止は、入力操作が禁止されている情報項目を常時表示しているが、入力操作が禁止されている情報項目を選択しても不作動にするか、織機の設定データを入力しようとするとエラー表示するかして、入力操作が禁止されている情報項目についてデータの入力を実質的にできなくするか、または入力操作が禁止されている情報項目を表示しないことにより、入力操作が禁止されている情報項目について織機の設定データの入力をできなくすることによっても行われる。
【００２６】
なお、入力禁止の操作（設定）は、表示画面を指定することによって、表示画面上の複数の情報項目を一括して入力禁止とし、また表示画面を指定することによって、入力禁止とした情報項目について一括して解除を可能とするか、または表示画面毎に、複数の情報項目を個別に指定から保護レベルの設定窓の画面で指定することにより入力禁止とし、また入力禁止とした情報項目について個別に指定して解除を可能とする。
【００２７】
ちなみに入力禁止の設定は、図４のように複数の情報項目Ａ（ａ１、ａ２）、Ｂ（ｂ１、ｂ２）、Ｃ（ｃ１、ｃ２）を階層構造とし、複数の表示画面上の複数の情報項目を別の表示画面上で階層表示とし、階層表示状態の情報項目を指定することにより指定した情報項目以下の階層の情報項目を一括して入力禁止とし、また入力禁止の解除は、入力禁止とした情報項目を指定することにより指定した情報項目以下の階層の情報項目のについて一括して解除を可能とすることもできる。階層表示とする別の表示画面は、通常、表示画面を分割し、一方の表示画面を複数の情報項目を表示する画面とし、他方の表示画面を階層構造を表示する画面とする。なお、階層表示の場合でも、情報項目を個別に指定することが可能である。
【００２８】
また、入力禁止の設定・解除は、表示画面上の複数の情報項目を職種の個人毎に固有情報を指定して行うこともできる。さらに、複数の情報項目をランク付けし、ランクの指定により表示画面上の複数の情報項目を指定することにより指定したランクの情報項目を入力禁止とし、また入力禁止とした情報項目をランクを指定することにより解除を可能とすることもできる。
【００２９】
各情報項目について、設定した各ランクに対応した色表示またはマーク表示を行つてもよい。このようにすれば、自分のランクに対して設定可能な情報項目であるかが視覚的に分かりやすくなる。また、入力禁止設定情報をメモリカードあるいは通信経由で他の織機にコピー可能としてもよい。このようにすれば、複数の織機に対して個別に同じ設定を行う作業が簡素化される。
【００３０】
このように、織機の情報表示装置１は、製織に関する情報表示を行うときに、指定した情報項目に対する織機の設定データの入力禁止および入力許可を対応する職種に応じて指令する禁止項目変更手段として禁止項目変更器７を有しているから、ユーザーは、織機メーカーに表示プログラムの変更を依頼しなくても、織布工場内で情報項目に対する織機の設定データの入力禁止を容易に設定でき、またその設定を容易に解除できる。
【００３１】
【発明の効果】
請求項１の織機の設定データの入力制限方法によれば、織機の情報表示装置において、特定の職種の者が１以上の情報項目に対する特定の職種よりも下位の職種の者による織機の設定データの入力操作を禁止し、またその禁止設定を解除できるから、ユーザーは、織機メーカーに表示プログラムの変更を依頼しなくても、織布工場内で職種上のランクに応じて情報項目に対する織機の設定データの入力操作の禁止を容易に設定でき、また設定した入力操作の禁止を容易に解除できる。これにより、職種毎に、製織に関して表示すべき複数の情報項目の自由度が高められる。
【００３２】
請求項２の織機の設定データの入力制限方法によれば、入力操作の禁止を設定した情報項目について織機の設定データの入力をできなくしているが、入力禁止の情報項目を常時表示しているから、入力禁止の情報項目の内容を視認できる。
【００３３】
請求項３の織機の設定データの入力制限方法によれば、入力禁止の情報項目を非表示にするから、表示している情報項目の存在から入力可能な情報項目が容易に視認でき、しかも入力禁止の情報項目についての誤った入力操作が防止できる。
【００３４】
請求項４の織機の設定データの入力制限方法によれば、表示画面を指定することによって、表示画面上の複数の情報項目を一括して入力禁止とし、また、表示画面を指定することによって、入力禁止とした情報項目について一括して解除を可能とするから、複数の情報項目についての入力禁止の設定・解除が一度にできる。
【００３５】
請求項５の織機の設定データの入力制限方法によれば、表示画面上毎に複数の情報項目を個別に入力禁止とし、また入力禁止とした情報項目について個別に解除を可能とするから、情報項目ごとに細かな設定ができる。
【００３６】
請求項６の織機の設定データの入力制限方法によれば、表示画面上の複数の情報項目を職種の個人毎に指定して入力禁止または解除可能とするから、職種の個人毎の入力禁止・解除の設定ができ、個人の役割に適合した織機の設定データの設定が可能となる。
【図面の簡単な説明】
【図１】  織機の情報表示装置のブロック線図である。
【図２】  織機の情報項目の表示画面の一例として緯入れコントロールの表示画面の説明図である。
【図３】  織機の情報項目の表示画面の一例として緯入れコントロールの表示画面に保護レベル（Ｓｅｃｕｒｉｔｙ  ｌｅｖｅｌ）の設定窓を表示させた状態の説明図である。
【図４】  階層表示画面の説明図である。
【符号の説明】
１  織機の情報表示装置
２  入力装置
３  表示制御装置
４  表示装置
５  認証カード
６  メモリ
７  禁止項目変更器
８  ＣＰＵ
９  織機
１０  設定キー
１１  呼出しキー
１２  言語切替えキー
１３  コントラスト調整キー
１４  ログオンキー
１５  稼働報キー
１６  カウンターキー
１７  保全キー
１８  緯糸操作キー
１９  緯入れコントロールキー
２０  メインノズルキー
２１  サブノズルキー
２２  飛走曲線キー
２３  モニターキー
２４  上位画面戻りキー
２５  コピーキー
２６  保護キー
【図１】
0004262515.tif 000002
【図２】
0004262515.tif 000003
【図３】
0004262515.tif 000004
【図４】
0004262515.tif 000005